(57)【要約】  本発明は、ロープと、方向転換プーリと、この方向転換プーリを所定の位置に回転可能に支持するフレーム構体とを含むエレベータシステムのロープを設置する方法に関するもので、この方法は、ロープを方向転換プーリに取り付ける工程と、方向転換プーリをロープとともにフレーム構体に取り付ける工程とを含む。
2007512202.tif 000002
【特許請求の範囲】
【請求項１】
ロープと、方向転換プーリと、該方向転換プーリを所定の位置に回転可能に支持するフレーム構体とを含むエレベータシステムにエレベータの前記ロープを設置する方法において、該方法は、
−  前記ロープを前記方向転換プーリに取り付ける工程と、
−  前記ロープを伴う前記方向転換プーリを前記フレーム構体に取り付ける工程とを含むことを特徴とする方法。
【請求項２】
ロープと、方向転換プーリと、該方向転換プーリを所定の位置に回転可能に支持するフレーム構体とを含むエレベータシステムにエレベータの前記ロープを設置する方法において、該方法は、
−  前記フレーム構体に作られたスロットなどの前記フレーム構体の案内装置を介して前記ロープを通す工程と、
−  前記方向転換プーリ、およびシャフトなどの支持部を前記フレーム構体に取り付ける工程とを含むことを特徴とする方法。
【請求項３】
請求項１に記載の方法において、前記方向転換プーリは、１つの方向転換プーリと、シャフトなどの支持部との組合せから形成されることを特徴とする方法。
【請求項４】
請求項１ないし３のいずれかによって設置されるエレベータ。
【請求項５】
フレーム構体によって所定の位置に取り付けられた少なくとも１つの方向転換プーリ（１）と、複数のロープから成る一組のロープ（６）とを含み、そのロープの通行が少なくとも１つの方向転換プーリ（１）によって配設されるエレベータにおいて、まず前記１組のロープのうちのロープ（６）を前記方向転換プーリ（１）に設置し、次に前記方向転換プーリ（１）を前記ロープ（６）とともに前記フレーム構体（３）に取り付けることによって、前記ロープが前記方向転換プーリ（１）に配設されることを特徴とするエレベータ。
【請求項６】
フレーム構体によって所定の位置に取り付けられた少なくとも１つの方向転換プーリ（１）と、複数のロープから成る一組のロープ（６）とを含み、そのロープの通行が少なくとも１つの方向転換プーリ（１）によって配設されるエレベータにおいて、まず前記１組のロープのうちのロープ（６）を前記フレーム構体に作られたスロットなどの前記フレーム構体の案内装置（７）に設置し、次に前記方向転換プーリ（１）、およびシャフトなどの支持部を前記フレーム構体に取り付けることによって、前記ロープ（６）が前記方向転換プーリ（１）に配設されることを特徴とするエレベータ。
【請求項７】
請求項５または６に記載のエレベータにおいて、前記フレーム構体（３）は、連続部品から形成されることを特徴とするエレベータ。
【請求項８】
請求項５ないし７のいずれかに記載のエレベータにおいて、前記フレーム構体（３）は、成形金属、望ましくは成形アルミニウムから形成されることを特徴とするエレベータ。
【請求項９】
請求項５ないし８のいずれかに記載のエレベータにおいて、前記フレーム構体（３）は、それ自体に付加される案内装置（７）を含み、前記ロープ（６）を案内することを特徴とするエレベータ。
【請求項１０】
請求項５ないし９のいずれかに記載のエレベータにおいて、前記フレーム構体（３）は、それ自体に溝、スロットまたはそれに相当するものが作られて、前記ロープ（６）を案内することを特徴とするエレベータ。
【請求項１１】
請求項５ないし１０のいずれかに記載のエレベータにおいて、前記フレーム構体（３）は、固定部材（９）によって、望ましくは所定の固定方向に固定されることを特徴とするエレベータ。
【請求項１２】
請求項５ないし１１のいずれかに記載のエレベータにおいて、前記フレーム構体（３）は、たとえば、新しいロープ（６）を設置するときに、脱着可能に作られることを特徴とするエレベータ。
【請求項１３】
請求項５ないし１２のいずれかに記載のエレベータにおいて、前記一組のロープは、望ましくは一組の巻上げロープであることを特徴とするエレベータ。
【請求項１４】
フレーム構体（３）によって取り付けられて、そこでロープ（６）の通行が少なくとも１つの方向転換プーリ（１）を用いて配設され、エレベータかごまたはそれに相当するものを懸垂する方向転換プーリの使用。
【発明の詳細な説明】
【詳細な説明】
【０００１】
本発明は、請求項１および２の前段に記載の方法と、この方法により構成されるエレベータと、請求項５および６の前段に記載のエレベータと、請求項14の前段によるフレーム構体に支持されてエレベータかごまたはそれに相当するものを懸垂する方向転換プーリの使用とに関するものである。
【０００２】
従来技術の構造において、エレベータ巻上ロープは、所定の位置、たとえばエレベータかご、エレベータシャフト、または方向転換プーリに既に取り付けられた方向転換プーリに対して、個々に、一度に一つを通している。
【０００３】
しかし、従来の技術に関しては、かなりの欠点がある。たとえば、長い距離を通すこともあるロープを垂直方向および／または幅方向に通すことは、困難なだけでなく、また、安全上の大きな危険を伴うこともある。なぜならば、ロープが落下して、設置する者に当たることもあるからである。また、従来の方式に基づく方向転換プーリは、接近することが非常に困難である。さらに、たとえば配置および方向に関して、あらかじめ取り付けられた方向転換プーリを調節することは、困難である。
【０００４】
本発明の目的は、これらの欠点を克服し、全く新しいタイプの方式を達成することである。本発明の目的は、巻上ロープの設置を容易にし、設置作業をより安全にすることである。本発明のさらなる目的は、以前のエレベータよりも簡易で安全な構造を有するエレベータを生成することである。
【０００５】
本発明を適用することによって、方向転換プーリの正確な配置を達成することができる。さらに、方向転換プーリの方向も、フレーム構体を利用することによって達成される。これは、プーリの迅速で容易な設置を可能にし、その信頼性は、設置工程にあまり左右されない。さらに、本発明の装置は、望ましくは、たとえばエレベータかご、カウンタウェイト、またはエレベータシャフトの方向転換プーリとして、さまざまな適用において用いることができる。これに加えて、それらの取り付け方向は、場合による影響を受けない。
【０００６】
本発明の方法およびエレベータと、本発明によるフレーム構体により取り付けられる方向転換プーリの使用は、請求項１、２、５、６および14の特徴部分に示されるものを特徴とする。本発明の他の実施例は、他の請求項に示されるものを特徴とする。また、本発明の実施例を本願の説明部分において示す。また、本願に示す本発明の内容は、特許請求の範囲において定義する以外の方法で定義することもできる。また、本発明の内容は、いくつかの別個の発明から構成することができ、とくに、本発明は、表現法もしくは言外の下位機能に照らして、または達成される利点もしくは一連の利点に関して考慮する場合がある。このような場合、特許請求の範囲に含まれる特性のいくつかを、個々の発明の概念の観点から不要にしてもよい。
【０００７】
本発明のフレーム構体は、構成の点で経済的であり、たとえば成形金属、望ましくは成形アルミニウムから構成することができ、その場合、構体は、さらに軽量になる。また、フレーム構体において機能的特徴を統合することもできる。たとえば別個のロープ案内装置を設け、あるいはフレーム構体が溝、スロットまたはそれに相当するものをあらかじめ設けて、ロープを案内することができる。
【０００８】
本発明の方法および本発明のエレベータの特徴に関しては、特許請求の範囲に記載する。
【０００９】
また、本発明は、フレーム構体によって取り付けられてエレベータかごまたはそれに相当するものを懸垂する方向転換プーリの使用に関するものである。この場合、ロープの通行は、少なくとも１つの方向転換プーリを用いて配設される。したがって、当該方式は、他の適用にも、たとえばカウンタウェイトまたはモータの懸垂にも用いることができる。
【００１０】
より正確に言えば、本発明の方法およびエレベータは、請求項１、２、５、６および14の特徴部分に示されるものを特徴とする。
【００１１】
本発明の方法によれば、エレベータロープは、ロープと、方向転換プーリと、この方向転換プーリを所定の位置に回転可能に取り付けるフレーム構体とを含むエレベータシステムに設置される。本発明の方法によれば、本方法は、ロープをまず方向転換プーリへ取り付ける工程と、次にこの方向転換プーリをロープと共にフレーム構体に取り付ける工程とを含んでいる。この状態において、方向転換プーリは、すでにシャフト、ピンまたはそれに相当するものを有して、あらかじめそれに取り付けられている。さらに、あるいは、この方向転換プーリは、１つの方向転換プーリ、およびシャフトなどの支持部を組み合わせることによって形成され、これによって、容易におよび迅速に設置できる統合部を生成して、製造費の節約が達成される。この方法によって、巻上ロープの設置は、かなり容易になる。なぜならば、ロープは、すでに方向転換プーリに設置されていて、手間が掛かり、時には困難で危険でさえある、ロープを方向転換プーリへ通すロープ通し作業が必要ないからである。さらに、ロープは、それらの溝に適切に設置され、ここでロープ飛び出し防止部によって保持される。このロープ飛び出し防止部は、望ましくは、フレーム構体自体または別個の部材からなるものでよい。
【００１２】
本発明の他にとり得る方法によれば、本方法は、ロープをまずフレーム構体において作られるスロットなどの案内装置へ通す工程と、方向転換プーリ、およびシャフトなどの支持部をフレーム構体に取り付ける工程とを含む。この方法が用いられるのは、たとえば、ロープが同じ方向に走行せずに、方向転換プーリがそれらの間で、たとえば90度の角度を形成する場合である。この場合、フレーム構体は、望ましくは、いわゆるロープ位置支持部を形成し、これに対してロープをまず設置し、そこで方向転換プーリは、後方にシャフトが取り付けられる別個のプーリとして配置され、またあるいは、方向転換プーリは、望ましくはあらかじめそれに取り付けられたシャフトを有するとよい。
【００１３】
本発明の方法によって、エレベータを確実に、迅速に、および経済的に設置することができる。また、本発明の方法は、新しい建物の他に、近代化プロジェクトにおいても用いることができ、本方法は、特定の種類のエレベータに限定されずに、当該方法は、カウンタウェイトのないエレベータ方式と、カウンタウェイトを有するエレベータ方式との両方に適用することができる。さらに、本方法は、必要に応じて他の巻上構造において適用することができる。
【００１４】
本発明のエレベータは、フレーム構体によって所定の位置に取り付けられた少なくとも１つの方向転換プーリと、複数のロープから成る一組のロープとを含み、そのロープの通行は、少なくとも１つの方向転換プーリによって配設されている。本発明のエレベータのロープは、ロープをまず方向転換プーリに設置して、次に方向転換プーリをロープとともにフレーム構体に取り付けることによって配設される。
【００１５】
本発明の他のとり得るエレベータのロープは、一組の巻上ロープのうちのロープをまずフレーム構体に作られたスロットなどの案内装置に設置し、次に方向転換プーリ、およびシャフトなどの支持部をフレーム構体に取り付けることによって、方向転換プーリに配設されている。
【００１６】
本エレベータに含まれるフレーム構体は、連続部品から形成されている。この部品は、成形金属、望ましくは成形アルミニウムで製造することができ、その場合、構体の経済的で容易な製造、およびその原料により達成される軽さの両方が利用される。さらに、同様なフレーム構体は、本エレベータの他の方向転換プーリと共に使用し、これによって多数のさまざまな方式、ならびに困難な設置および調節作業を回避することができる。また、さらに、さまざまな構成部品数およびモジュール実行の削減によって危険を減少し、かなり迅速な設置が可能になる。これは、エレベータの最終使用者にとって相応に有利となる。なぜならば、エレベータをより迅速に設置し、たとえば近代化する場合では、エレベータをより早く再使用することができるからである。
【００１７】
本エレベータのフレーム構体は、たとえばそれに取り付けられる別個の案内装置を設けて、ロープを案内し、必要な場合は脱着可能にすることができる。案内装置は、当然かつ単に、フレーム構体に作られた溝、スロットまたはそれに相当するものから成り、ロープを所望の方向および／または所望の位置へ案内するものでよい。
【００１８】
本発明のフレーム構体は、望ましくは対称的なものでよく、フレーム構体は、固定部材によって、場合によっては所望の固定方向に固定することができる。この固定部材は、当然に、用途に従って変えてよく、ネジ、ボルトもしくはそれに相当するものなどの脱着可能なもの、またはリベットもしくはそれに相当するものなどの固定部材でよい。さらに、固定位置および方向は、適用によって変えることができ、取り付け方向は、必要に応じて変えることができる。
【００１９】
本発明のフレーム構体は、単独で、または方向転換プーリとともに、脱着可能になっている。これによって、たとえば新しいロープの容易な設置を可能にし、したがって、手間の掛かる困難なロープ通し作業が回避される。
【００２０】
本発明による多数のロープは、１組のロープ、望ましくは１組の巻上ロープを形成する。この場合、事前に設置されている方向転換プーリがフレーム構体とすでに統合されてあらかじめ設置された方向転換プーリ、および方向転換プーリおよびフレーム構体を伴う１組のロープ全体が完成単体として設置位置へと運ばれる完全な方式までもの両方から利点が得られる。
【００２１】
本発明による方式を含むエレベータは、エレベータにおいて、たとえばカウンタウェイトにおいて、かごにおいて、および／またはシャフトにおける方向転換プーリとして用いることができる。さらに、その方式は、新規のエレベータの製造、およびエレベータの近代化プロジェクトの両方において利用することができる。
【００２２】
本発明によるフレーム構体を用いて取り付けて、エレベータかごまたはそれに相当するものを懸垂する方向転換プーリの使用において、この場合、ロープの通行は、少なくとも１つの方向転換プーリを用いて配設されている。
【００２３】
次に、本発明による設置構造を示す添付図面を参照して、本発明を説明する。
【００２４】
本発明は、添付図面を参照することによってより詳細になると考えられる。
【００２５】
図１は、支持部２、この場合では望ましくはシャフトによってフレーム構体３に取り付けられた方向転換プーリ１を示す。このフレーム構体は、望ましくは、方向転換プーリがこのフレーム構体内で回転するように形成され、また、フレーム構体は、方向転換プーリのシャフトを所定の位置に良好に保つように形成されたショルダーを有する。ここに示す方向転換プーリは、別個のシャフトを有しているが、本発明は、このような方式に限定されることはなく、方向転換プーリがその製造中に支持部とすでに統合されている方式も可能とする。このフレーム構体は、補助構体４を含み、これは、望ましくは図示しないロープを方向転換プーリ１の溝５に容易に据えることができるように形成される。
【００２６】
図２は、フレーム構体３を伴う方向転換プーリ１を斜視図において示す。この方式において、支持部２は、フレーム構体３を通り抜けている。さらに、ロープ６を案内するために案内部７が設けられ、これはこの方式においては、望ましくはフレーム構体に作られた溝である。その溝は、ロープを案内するばかりでなくそれを適切な位置に保つ。また、その図におけるフレーム構体は、あらかじめ作られた固定点８を有し、それは、たとえば図示するような穴でよい。その穴は、望ましくは、フレーム構体に作られて、システム全体をいかなる経路でも固定し、またいかなる方向にも向けることができる。
【００２７】
図３は、本発明の方式を固定する方式を示す。ここでは、図２におけるように、方向転換プーリ１は、この場合では望ましくはシャフトである支持部２上に取り付けられる。さらに、方向転換プーリ１および支持部２を伴うフレーム構体３は、この場合では望ましくはボルトである固定部材９によって固定することができる。本発明の方式は、当然に、さまざまな種類の固定部材を使用することができる。
【００２８】
また、本発明の構成の範囲内において、上述とは異なる方式を考慮することもできる。したがって、用いるロープは、ロープ帯、またはロープおよびロープ帯の組み合わせからなるものでもよい。シャフトの代わりに、ピンまたはそれに相当するものを使用するいかなる支持方式を当然に用いることができる。
【００２９】
本発明は、当業者には明らかであるように、本発明を一例として説明している上述の実施例に限定されることはなく、本発明のさまざまな実施例が特許請求の範囲に記載する発明の概念の範囲内で可能である。
【図面の簡単な説明】
【００３０】
【図１】図１は、本発明によるモジュール式方向転換プーリの方式を示す。
【図２】図２は、本発明によるモジュール式方向転換プーリの方式を示す。
【図３】図３は、本発明による固定方式を示す。
【図１】
2007512202.tif 000003
【図２】
2007512202.tif 000004
【図３】
2007512202.tif 000005
【国際調査報告】
2007512202.tif 000006
2007512202.tif 000007
2007512202.tif 000008